(57)【特許請求の範囲】
【請求項１】
児収容室の側方の処置扉に設けられ、手入れ扉により開閉される手入れ窓の内周縁部を形成する手入れ窓用パッキンであって、前記手入れ窓の内周縁部に設けられる環状の取付部と、前記手入れ扉に当接するシール片とからなり、前記取付部は、前記シール片よりも硬度が高く、その外周部に、取り付け用凹溝が周方向に沿って形成され、前記シール片は、前記取付部の内周部に接着され、前記取付部の内周面を延長するようにかつ該取付部の上方かつ半径方向外方に向けて拡がるように延びる薄肉状に形成されており、前記シール片と前記取付部との対向面に凸部がそれぞれ一体に設けられ、前記手入れ扉の閉止により前記シール片が押しつぶされたときに前記凸部どうしが押圧状態に当接することを特徴とする保育器の手入れ窓用パッキン。
【請求項２】
シリコーンゴムからなり、前記取付部のゴム硬度は６０°〜８０°であり、前記シール片のゴム硬度は３０°〜５０°であることを特徴とする請求項１記載の保育器の手入れ窓用パッキン。
【請求項３】
児収容室の側方に配置される処置扉に手入れ窓を開閉可能な手入れ扉を有する手入れ窓ユニットが設けられるとともに、該手入れ窓ユニットに請求項１又は２記載の手入れ窓用パッキンが備えられた保育器であって、前記処置扉に開口部が形成されるとともに、前記手入れ窓ユニットに、前記開口部の内周部に取り付けられる環状のベース枠と、前記手入れ扉を開閉自在に支持するヒンジ部と、手入れ窓を閉止状態に保持可能なロック部とが設けられ、前記ベース枠の内周部に前記手入れ窓用パッキンにおける取付部の取り付け用凹溝が嵌合することにより、該手入れ窓用パッキンが前記ベース枠に取り付けられ、前記凸部が前記ヒンジ部側に配置されていることを特徴とする保育器。
【発明の詳細な説明】
【技術分野】
【０００１】
本発明は、児収容室の側面に手入れ扉により開閉される手入れ窓が形成され、その手入れ窓を閉じたときに密封するパッキン及びこのパッキンを備えた保育器に関する。
【背景技術】
【０００２】
未熟児等に対して適切な生理的環境を提供するための保育器には、児のケア時に器内の環境温度への影響を少なくするために、児収容室の側面を構成する処置扉に手入れ窓が形成され、この手入れ窓を開閉する手入れ扉が設けられている。日常のケアで、手入れ窓の開閉の頻度は多く、その際、児にストレスがかからないように、開閉音は静かでなければならない。また器内の環境温度等に影響を与えないように、手入れ窓は、シール性を確保しなければならない。
【０００３】
特許文献１には、保育器の手入れ窓の周縁に沿う周縁部と、手入れ窓を部分的に被覆する被覆部とを具備する手入れ窓用パッキンが開示されている。このパッキンは、軟質ポリ塩化ビニルの射出成形により一体に形成されている。
また、特許文献２に開示の保育器では、手入れ窓の周縁に、手入れ扉との当接部の大部分がひれ状部となったシリコーンゴム製のパッキンが設けられている。
【先行技術文献】
【特許文献】
【０００４】
【特許文献１】特開２００２−２８１９８号公報
【特許文献２】特開２０１０−８８４６６号公報
【発明の概要】
【発明が解決しようとする課題】
【０００５】
ところで、手入れ窓の開口周縁部は、ケアする人によって汚れやすいため、清拭・消毒が、確実且つ容易に出来なければならない。児収容室内でケアした後の手が最も触れ易いのがパッキンであり、これを簡単に清拭・消毒できることが望まれている。
【０００６】
本発明は、このような事情に鑑みてなされたもので、手入れ扉を閉めるときに静かに閉まり、確実にシールできるとともに、簡単に清拭・消毒できる手入れ窓用パッキン及びこのパッキンを備えた保育器を提供することを目的とする。
【課題を解決するための手段】
【０００７】
本発明の保育器は、児収容室の側方の処置扉に設けられ、手入れ扉により開閉される手入れ窓の内周縁部を形成する手入れ窓用パッキンであって、前記手入れ窓の内周縁部に設けられる環状の取付部と、前記手入れ扉に当接するシール片とからなり、前記取付部は、前記シール片よりも硬度が高く、その外周部に、取り付け用凹溝が周方向に沿って形成され、前記シール片は、前記取付部の内周部に接着され、前記取付部の内周面を延長するようにかつ該取付部の上方かつ半径方向外方に向けて拡がるように延びる薄肉状に形成されており、前記シール片と前記取付部との対向面に凸部がそれぞれ一体に設けられ、前記手入れ扉の閉止により前記シール片が押しつぶされたときに前記凸部どうしが押圧状態に当接することを特徴とする。
【０００８】
パッキンを取付部とシール片との二つの部品により構成し、取付部の硬度をシール片より高くしたので、このパッキンを着脱する際に、取付部の一部をつかんで変形させれば、広い範囲で追従するように変形させることができ、全体を容易に着脱することができる。もちろん、シール片は硬度が低いので、手入れ扉を開閉する際の音は静かであり、かつ閉じた際の弾性変形により確実に密封することができる。したがって、このパッキンは、硬度の低いシール片による静かな開閉及びその弾性変形による密封性の確保と、硬度の高い取付部による着脱作業性の向上との両方の機能を満足させることができる。
なお、このパッキンの材料としては、合成樹脂、ゴム等を用いることができる。
この場合、シール片は硬度が低いため、これを単独で変形させても、密封性を確保し得る弾性力が発生するだけで、大きな反発力を生じさせることはない。本発明では、シール片と取付部との対向面に凸部を設けたことにより、手入れ扉の閉止時に凸部どうしが押圧して大きな反発力を生じさせることができ、手入れ扉を開ける方向に付勢することができる。
【０００９】
本発明の手入れ窓用パッキンにおいて、シリコーンゴムからなり、前記取付部のゴム硬度は６０°〜８０°であり、前記シール片のゴム硬度は３０°〜５０°であるとよい。
取付部のゴム硬度が６０°未満では、着脱の際に局部的に変形や伸びが生じて着脱しにくく、８０°を超えると硬すぎるために変形が少なくなり、着脱作業を困難にする。一方、シール片のゴム硬度が３０°未満では軟らかすぎて密封性を損なうおそれがあり、５０°を超えると、手入れ扉を閉じる際に大きな力が必要になるとともに、当接時の衝撃音も大きくなる。
【００１２】
また、発明の保育器は、児収容室の側方に配置される処置扉に手入れ窓を開閉可能な手入れ扉を有する手入れ窓ユニットが設けられるとともに、該手入れ窓ユニットに前記凸部を有する手入れ窓用パッキンが備えられた保育器であって、前記処置扉に開口部が形成されるとともに、前記手入れ窓ユニットに、前記開口部の内周部に取り付けられる環状のベース枠と、前記手入れ扉を開閉自在に支持するヒンジ部と、手入れ窓を閉止状態に保持可能なロック部とが設けられ、前記ベース枠の内周部に前記手入れ窓用パッキンにおける取付部の取り付け用凹溝が嵌合することにより、該手入れ窓用パッキンが前記ベース枠に取り付けられ、前記凸部が前記ヒンジ部側に配置されている。
閉じた状態の手入れ扉に開く方向に大きい付勢力を作用させることができ、手入れ扉の回動をより円滑に行わせることができる。
【発明の効果】
【００１３】
本発明によれば、手入れ窓用パッキンが、硬度の低いシール片による静かな開閉及びその弾性変形による密封性の確保と、硬度の高い取付部による着脱作業性の向上との両方の機能を有しているので、手入れ扉を閉めるときに静かに閉まり、確実にシールできるとともに、着脱作業が容易で簡単に清拭・消毒することができる。
【図面の簡単な説明】
【００１４】
【図１】本発明の一実施形態の手入れ窓用パッキンの斜視図である。
【図２】図１のＡ−Ａ線に沿う縦断面図である。
【図３】本発明の一実施形態の保育器における手入れ扉ユニットの一つを示す正面図である。
【図４】図３のＢ−Ｂに沿う断面図である。
【図５】図３のＣ−Ｃ線に沿う断面図である。
【図６】手入れ窓ユニットにおけるベース枠の斜視図である。
【図７】保育器の全体斜視図である。
【図８】保育器の左側処置扉を正面視した正面図である。
【図９】図８に対する右側面図である。
【図１０】図８に示す状態から左側処置扉を開けた状態を示す正面図である。
【図１１】図７に示す状態からキャノピー及び加熱器を上昇させた状態を示す斜視図である。
【図１２】本発明の他の実施形態のパッキンを示す斜視図である。
【図１３】図１３の矢印Ｄ方向から見たパッキンの要部側面図である。
【発明を実施するための形態】
【００１５】
以下、本発明の保育器の一実施形態について説明する。
［保育器の全体構成］
保育器１は、図７〜図９に全体を示したように、キャスター２により移動自在な架台３と、この架台３の上に垂直に立設された支柱４と、この支柱４の上端に設けられたフレーム５と、このフレーム５の上に設置された基台６と、この基台６の上に設けられ児収容室７を囲むフード８と、フレーム５の一端部でフード８の側方位置に垂直に設けられた２本のガイド柱９，１０と、これらガイド柱の一方（ガイド柱１０）の上端に設けられた加熱器１１とを備えており、ガイド柱の他方（ガイド柱９）の上端には、フード８の天井を構成するキャノピー（天蓋）１２が取り付けられている。
支柱４は内部にフレーム５を上下移動する昇降機構を内蔵しており、架台３の側部に、昇降機構を操作するためのペダル１３が設けられている。
【００１６】
フード８は、児を寝かせる臥床台１５が設置される床板１６と、児の左右に配置される左側処置扉１７及び右側処置扉１８と、児の足側に配置される足側処置扉１９と、児の頭側に配置される頭側処置扉２０と、これら左右側処置扉１７，１８、足側処置扉１９及び頭側処置扉２０により囲まれた児収容室７の上方を閉塞するキャノピー１２とにより、ほぼ直方体状に構成される。左側処置扉１７、右側処置扉１８、足側処置扉１９、頭側処置扉２０及びキャノピー１２は、ほぼ全体が透明樹脂によって構成されており、外部から児収容室７内の児を目視確認できる。
また、図７〜図９ではキャノピー１２を下降させてフード８を閉じた状態、図１１はキャノピー１２を上昇させて児収容室７の上方を開放した状態を示している。また、この図１１においては、加熱器１１も上昇させ、児収容室７を加熱した状態を示している。
このように、この保育器１は、図７〜図９に示す閉鎖型保育器、及び図１１に示す開放型保育器の両方の形態の機能を有している。
【００１７】
各処置扉１７〜２０のうち、頭側処置扉２０は、児収容室７の頭側に立設した垂直姿勢に維持される。これに対して、左右側処置扉１７，１８及び足側処置扉１９は、その下端部が基台６に対して水平な軸（図示略）を中心に揺動自在に取り付けられており、児に対する診察、処置などを任意の方向から行えるようにするために、これら処置扉１７〜１９の一つあるいは複数を下方に倒すことにより、児収容室７の側方の一部又は三方を開放状態とすることができる。図１０は左側処置扉１７を回動させて、児収容室７の一側方を開放状態としている。
閉鎖型保育器として使用する場合は、各処置扉１７〜１９とも閉鎖した状態とされ、児のケアのために左右側処置扉１７，１８を開閉する。開放型保育器として使用する場合は、児のケアのために左側処置扉１７、右側処置扉１８及び足側処置扉１９の三方を開閉することができる。
【００１８】
さらに、左側処置扉１７、右側処置扉１８及び足側処置扉１９には手入れ窓ユニット２５，２６が設けられ、閉鎖型保育器として使用する際に、処置扉１７〜１９を起立させた状態のまま手入れ窓２７を手入れ扉２８，２９により開閉することができるようになっている。頭側処置扉２０には、ケーブルやチューブ等を挿通させるためのスリットを有するグロメット部材３０が取り付けられている。
また、児収容室７内の床板１６の上には、児を載せる臥床台１５が設けられている。この臥床台１５は、長さ方向の中央部が水平な軸（図示略）により揺動自在に支持されるとともに、頭側の一端部が昇降機構３１に支持され、この一端部を持ち上げることにより、水平方向に対して傾斜した姿勢に保持できるようになっている。その昇降機構３１は、フード８の外側に設けられる。
【００１９】
ガイド柱９，１０は、同軸上にロッド３２が収容され、このロッド３２を上下移動させる昇降機構が内蔵されている。キャノピー１２は、ガイド柱９のロッド３２の上端に取り付けられており、その下降位置で各処置扉１７〜２０の上端に当接して児収容室７を閉鎖し、上昇位置では、図１１に示すように、処置扉１７〜２０から児の処置のための十分な間隔を明けて退避できるようになっている。加熱器１１は、他方のガイド柱１０のロッド（図には見えないが、図１１のガイド柱９と同様に設けられる）の上端に水平な軸３３を中心に回動可能に取り付けられており、その下降位置では、図７等に示すように、ガイド柱１０とほぼ平行な垂直方向に折り畳まれた収納姿勢とされ、上昇位置では、垂直方向に対して所定の角度に起こされて児収容室７に上方から熱線を供給する加熱姿勢とされる。
【００２０】
［処置扉及び手入れ窓ユニットの構成］
足側処置扉１９及び頭側処置扉２０は一枚の壁により構成されるが、左側処置扉１７及び右側処置扉１８は、二重壁構造の内壁３５と外壁３６とを備えており、これら内壁３５と外壁３６との間に、基台６内から送風される温風を下方から上方に向けて流して児収容室７内に供給するための隙間３７が形成されている。
これら左側処置扉１７及び右側処置扉１８には、内壁３５と外壁３６とを貫通する開口部４１，４２が、各処置扉１７，１８においてその正面視で左右に並んで二つずつ形成されており、一方、足側処置扉１９には、その壁を貫通する一つの開口部４２が形成されている。そして、左右側処置扉１７，１８の外壁３６に形成される開口部４２と足側処置扉１９に形成される開口部４２とにそれぞれ手入れ窓ユニット２５，２６が設けられている。これら手入れ窓ユニット２５，２６は、手入れ扉２８，２９が左右側処置扉用と足側処置扉用とで若干異なるが、その他の形状、大きさはすべて同じである。
以下では、左右側処置扉１７，１８に設けられる手入れ窓ユニット２５について説明し、足側処置扉１９に設けられる手入れ窓ユニット２６については異なる部分のみ説明する。
【００２１】
手入れ窓ユニット２５は、図３〜図５に示すように、開口部４２に固定される戸当たり枠体４５と、この戸当たり枠体４５に回動自在に支持される手入れ扉２８とから構成される。
戸当たり枠体４５は、開口部４２の内周縁に取り付けられる環状のベース枠４６と、このベース枠４６の内周縁に取り付けられるパッキン４７と、ベース枠４６の一端部に設けられ手入れ扉２８を支持するヒンジ部４８と、ベース枠４６の他端部に設けられ手入れ扉２８を閉止状態に保持可能なロック部４９とから構成される。
ベース枠４６は、図６に示すように、全体が硬質樹脂により環状に形成され、開口部４２の内側に嵌合される枠体部５１に、ヒンジ部４８及びロック部４９の取り付け箇所となる比較的広い面積の板状部５３，５４が一体に形成されている。枠体部５１の内周部には、パッキン４７に嵌まり込む二つの凸条５５が周方向に沿って形成されている。その一方の凸条５５は、水平方向内方に向けて形成され、他方の凸条５５は、処置扉１７，１８の表面に垂直に形成されていることにより、これら二つの凸条５５が９０°の角度で交差するアングル状に形成されている。
【００２２】
［手入れ窓用パッキンの構成］
パッキン４７は、図１及び図２に示すように、ベース枠４６の枠体部５１に取り付けられる環状の取付部５６と、この取付部５６の内周部から内周面を延長するように延びるシール片５７とからなり、その内側開口により手入れ窓２７を構成している。このパッキン４７は、取付部５６、シール片５７ともシリコーン系ゴムにより形成されるが、取付部５６は、シール片５７に比べてゴム硬度が高く、シール片５７は軟質に形成されている。
具体的には、取付部５６のゴム硬度は６０°〜８０°、シール片５７のゴム硬度は３０°〜５０°が好ましい。取付部５６は、ベース枠４６に着脱されるものであり、硬度が６０°未満では、着脱の際に局部的に変形や伸びが生じて着脱しにくく、硬度が８０°を超えると硬すぎるために変形が少なくなり、着脱作業を困難にする。一方、シール片５７は、手入れ扉２８に当接して手入れ窓２７を密封するものであり、硬度が３０°未満では軟らかすぎて密封性を損なうおそれがあり、硬度が５０°を超えると、手入れ扉２８を閉じる際に大きな力が必要になるとともに、当接時の衝撃音も大きくなる。このため、取付部５６の硬度は６０°〜８０°、シール片５７の硬度は３０°〜５０°が好ましい。例えば、取付部５６が７０°で、シール片５７が４０°がより好ましい。
なお、このゴム硬度は、デュロメータにより、通常ゴム用としてＪＩＳ  Ｋ  ６２５３に準拠して測定される。
【００２３】
また、取付部５６の外周部には、ベース枠４６の枠体部５１における二つの凸条５５に被さるように嵌合する凹溝５８が周方向に沿って形成されている。一方、取付部５６の内周面は、その厚さ方向の断面が滑らかな円弧状となるように形成される。さらに、取付部５６の外周部の一部、後述する手入れ扉２８のヒンジ部４８側に向けて配置される部分に、張り出し部５９が一体に形成されている。この張り出し部５９は、凹溝５８よりもシール片５７側に設けられており、裏面が平坦面に形成され、ベース枠４６の凸条５５に凹溝５８を嵌合状態に取り付けたときに、張り出し部５９の裏面がベース枠４６の板状部５３の表面に接触させられる。
【００２４】
シール片５７は、その内周面が、取付部５６の内周面の円弧を取付部５６の上方に延長するように、取付部５６の内周面から面一に延びる滑らかな円弧状に形成されている。また、先端部６０に向かうに従って半径方向外方に拡がるように形成され、その先端部６０ではシール片５７の裏面が取付部５６の上面に対向するように配置されている。
この場合、これら取付部５６とシール片５７とは別々に作製され、加硫接着により一体化されている。図２の符号Ｓが接着界面を示しており、取付部５６の内周の上部には凹部６１が周方向に沿って形成され、この凹部６１に係合する基部６２がシール片５７に一体に形成されている。基部６２は、シール片５７の先端部６０に比べて厚肉に形成されている。そして、これら取付部５６とシール片５７とはそれぞれ別個に成形した後、熱プレスをかけて加硫と同時に接着することにより一体化される。
【００２５】
［手入れ窓ユニットのその他の構成］
一方、ベース枠４６の一方の板状部５３にヒンジ部４８が設けられ、他方の板状部５４にロック部４９が設けられている。
ヒンジ部４８では手入れ扉２８を軸６５により回動自在に支持している。ロック部４９では、手入れ扉２８の先端の舌片部８１を係止可能なラッチ部材８４と、このラッチ部材８４の係止状態を解除するための解除レバー８５とが設けられている。
手入れ扉２８は、手入れ窓２７を閉鎖した時にパッキン４７のシール片５７に当接される板状部９１と、この板状部９１におけるパッキン４７への当接部を除く中央部分を突出させパッキン４７の内側に挿入される突起部９２と、板状部９１の一端部に設けられる軸保持部６６と、他端部に設けられる舌片部８１とから構成される。板状部９１は突起部９２に対してフランジ状に張り出しており、突起部９２は、手入れ窓２７を閉鎖状態としたときに左右側処置扉１７，１８の内壁３５の開口部４１内に入り込み、この内壁３５の内面とほぼ面一となる寸法に形成される。
なお、足側処置扉１９に設けられる手入れ窓ユニット２６は、その手入れ扉２９が、左右側処置扉１７，１８の手入れ窓ユニット２５における手入れ扉２８のような突起部９２がなく、手入れ窓２７の全体を覆うほぼ平坦な板状部を有している点が異なるが、その他の構成は手入れ窓ユニット２５と全く同じであり、説明を省略する。
【００２６】
このように構成した手入れ窓ユニット２５において、手入れ扉２８により手入れ窓２７を閉じた状態から、手入れ窓２７を開放する場合、ロック部４９における解除レバー８５を処置扉１７，１８に向けて押圧すると、ラッチ部材８４が舌片部８１の係止状態を解除する。手入れ扉２８は、閉止状態ではパッキン４７のシール片５７を弾性変形させながら押圧しており、また、ヒンジ部４８の軸６５に取り付けられたねじりコイルばね（図示略）により開く方向に付勢されているので、ロック部４９によりロック状態が解除されると、パッキン４７の弾性力及びねじりコイルばねの付勢力により、開く方向に回動し、手入れ窓２７を開放する。
【００２７】
一方、開放した手入れ窓２７を閉じる場合は、手入れ扉２８を回動して、舌片部８１をロック部４９に上方から処置扉１７，１８に向けて押圧するように押し込むと、舌片部８１がラッチ部材８４に係止され、手入れ扉２８が閉止状態にロックされる。このとき、手入れ扉２８の板状部９１がパッキン４７のシール片５７に当接する。このシール片５７は硬度が低く、３０°〜５０°に形成されているので、柔軟性に富み、手入れ扉２８を閉じたときの衝撃音を緩和することができ、静かに閉めることができ、また、閉止時にはシール片５７の弾性変形により手入れ窓２７を確実に密封することができる。
【００２８】
次に、清拭・消毒等のためにパッキン４７を着脱する場合について説明する。
このパッキン４７を手入れ窓ユニット２５のベース枠４６から取り外す場合は、取付部５６を変形させながらベース枠４６の内周縁から外せばよい。この場合、取付部５６の側方に突出している張り出し部５９をつかんで外すと、作業し易い。また、この取付部５６は硬度が高く、６０°〜８０°の範囲に設定されているので、張り出し部５９など、周方向の一部分をつかんで手入れ窓２７の内方に向けてパッキン４７を変形させた場合に、取付部５６の比較的広い範囲で追従するように変形して、全体を容易に取り外すことができる。
【００２９】
また、パッキン４７を取り付ける場合は、周方向の一部分からベース枠４６に取り付けていくことになるが、その場合も取付部５６の硬度が高いので、外周部の凹溝５８の広い範囲に一度にベース枠４６の凸条５５を嵌合させることができ、順次周方向に沿って嵌合する操作を容易にすることができる。
このように、このパッキン４７は、その着脱が容易であることから、清拭・消毒等の作業を容易にすることができる。
【００３０】
図１２及び図１３は本発明の手入れ窓用パッキンの他の実施形態を示している。
このパッキン９５は、取付部５６とシール片５７とを一体化した基本構造は先の実施形態と同様であるが、これら取付部５６とシール片５７とが一体化したパッキン９５の周方向の一部、具体的には処置扉１７，１８に取り付けたときにヒンジ部４８に向けて配置される部分に、シール片５７と取付部５６との対向面に凸部９６，９７がそれぞれ一体に設けられている。これら凸部９６，９７は、手入れ扉２８が閉止状態となってシール片５７が押しつぶされたときに、凸部９６，９７どうしが押圧状態に当接するようになっている。
【００３１】
したがって、手入れ扉２８を閉じてロックした状態とすると、図１３の矢印で示すようにシール片５７とともに凸部９６，９７が押圧され、鎖線で示すように変形する。この凸部９６，９７の変形により、弾性力（反発力）が手入れ扉２８を開く方向に付勢することになり、ロック部４９を解除したときに、その付勢力が補助することによって手入れ扉２８をより円滑に開くことができる。
この場合、凸部９６，９７は、必ずしもシール片５７と取付部５６との両方になければならないわけではなく、少なくともシール片５７に設けられ、手入れ扉２８を閉じたときに取付部５６の上面に押圧接触するように配置されていればよい。
【００３２】
なお、本発明は前記実施形態の構成のものに限定されるものではなく、細部構成においては、本発明の趣旨を逸脱しない範囲において種々の変更を加えることが可能である。
【符号の説明】
【００３３】
１  保育器
２  キャスター
３  架台
４  支柱
５  フレーム
６  基台
７  児収容室
８  フード
１１  加熱器
１２  キャノピー
１７  左側処置扉
１８  右側処置扉
１９  足側処置扉
２０  頭側処置扉
２５，２６  手入れ窓ユニット
２７  手入れ窓
２８  手入れ扉
３０  グロメット部材
３５  内壁
３６  外壁
３７  隙間
４１，４２  開口部
４５  戸当たり枠体
４６  ベース枠
４７  パッキン
４８  ヒンジ部
４９  ロック部
５１  枠体部
５３  板状部
５４  板状部
５５  凸条
５６  取付部
５７  シール片
５８  凹溝
５９  張り出し部
６０  先端部
６１  凹部
６２  基部
６５  軸
８１  舌片部
８４  ラッチ部材
８５  解除レバー
９１  板状部
９２  突起部
９５  パッキン
９６，９７  凸部
【図１】
0005919075.tif 000002
【図２】
0005919075.tif 000003
【図３】
0005919075.tif 000004
【図４】
0005919075.tif 000005
【図５】
0005919075.tif 000006
【図６】
0005919075.tif 000007
【図７】
0005919075.tif 000008
【図８】
0005919075.tif 000009
【図９】
0005919075.tif 000010
【図１０】
0005919075.tif 000011
【図１１】
0005919075.tif 000012
【図１２】
0005919075.tif 000013
【図１３】
0005919075.tif 000014